(57)【要約】【課題】包装状態から陳列状態へ簡単に変形できる表示機能付包装箱を提供する。【解決手段】前壁１、一対の側壁２及び後壁３を連設して周壁を形成し、底面を閉止する底壁５及び包装状態で天面を閉止する蓋７を設け、前壁１に上端から前開部８を形成すると共に、表面に広告を印刷した前掲板９を前壁１に連設し、陳列に際しては、天面を開口させてトレー状とし、前開部８を切り開き、前掲板９を前壁１の前方に斜め上方へ向けて保持する表示機能付包装箱において、前記前掲板９を、包装状態では、前壁１の前開部８の裏側に沿わせて後向きに収納しておき、陳列時に前方へ折り曲げるようにする。【選択図】図４
2006008150.tif 000002
【特許請求の範囲】
【請求項１】
前壁、一対の側壁及び後壁を連設して周壁を形成し、底面を閉止する底壁及び包装状態で天面を閉止する蓋を設け、前壁に上端から前開部を形成すると共に、表面に広告を印刷した前掲板を前壁に連設し、陳列に際しては、天面を開口させてトレー状とし、前開部を切り開き、前掲板を前壁の前方に斜め上方へ向けて保持する表示機能付包装箱において、前記前掲板を、包装状態では、前壁の前開部の裏側に沿わせて後向きに収納しておき、陳列時に前方へ折り曲げるようにしたことを特徴とする表示機能付包装箱。
【請求項２】
前記前掲板を前壁の前開部の上端に連設して、前掲板の先端側に内前板を連設し、包装状態では、前掲板及び内前板を後下方へ折り曲げておき、陳列に際しては、内前板を前壁の裏面に沿わせた状態で、前掲板を前開部と共に折り曲げるようにしたことを特徴とする請求項１に記載の表示機能付包装箱。
【請求項３】
前記前掲板を前壁の下端に連結片を介して連設し、包装状態では、連結片及び前掲板を後上方へ折り曲げておき、陳列に際しては、連結片を前壁の残存する下部の裏面に沿わせた状態で、その上端から前掲板を折り曲げるようにしたことを特徴とする請求項１に記載の表示機能付包装箱。
【発明の詳細な説明】
【技術分野】
【０００１】
この発明は、商品の包装及び陳列に使用する包装箱に関するものである。
【背景技術】
【０００２】
従来、この種の包装箱として、下記特許文献１において、図９に示すようなものが提案されている。この包装箱は、前壁５１、一対の側壁５２及び後壁５３を連設して周壁を形成し、底面を閉止する底壁５４を設けると共に、前壁５１の上端から包装状態で天面を閉止する蓋５５を延出したものである。
【０００３】
この包装箱の前壁５１の上部から蓋５５の前部には、前壁５１の両側に上端から切目線５６を入れて前開部５７が形成され、前開部５７の後方には前掲板５８及び差込部５９が順次折目を介して設けられている。前掲板５８の一側には側掲板６０が連設されて内側へ折り込まれ、前掲板５８及び側掲板６０の表面には商品の広告が印刷されている。
【０００４】
また、蓋５５には、差込部５９とその先端側部分の境界に切目線６１が設けられ、側壁５２には、前下部から後上部へかけて切目線６２が設けられている。さらに、前壁５１には、前開部５７への切込により差込突起６３が設けられ、前掲板５８と差込部５９の境界にはスリット状の差込穴６４が形成されている。
【０００５】
このような包装箱に収納した商品を陳列する際には、蓋５５を開き、切目線６１を切断して蓋５５の先端部を切り取り、切目線５６，６２を切断して側壁５２の上部を除去し、図１０示すように、天面を開口させてトレー状とする。
【０００６】
そして、前開部５７を斜前下方へ折り曲げ、前掲板５８を斜後上方へ折り返すと共に、側掲板６０を二つ折りにして、その先端部を前開部５７と前掲板５８の間に挟み、差込部５９を前壁５１の裏側に重ねるように下方へ折り曲げ、差込突起６３を差込穴６４に差し込んで、前掲板５８及び側掲板６０の広告が見えるように保形する。
【０００７】
このような包装箱では、陳列状態において、前掲板５８が前壁５１の前方に斜め上方へ向けて保持され、二つ折りにした側掲板６０が前掲板５８の側部から突出するので、片面印刷でありながら、優れた陳列効果を得ることができる。
【０００８】
【特許文献１】特開２００１−１７１６５３号公報
【発明の開示】
【発明が解決しようとする課題】
【０００９】
しかしながら、上記のような包装箱では、陳列状態への変形に若干手間がかかるため、店頭での陳列作業が店員の負担になり、広告表示が展開されないままに陳列されることも考えられる。
【００１０】
そこで、この発明は、包装状態から陳列状態へ簡単に変形できる表示機能付包装箱を提供することを課題とする。
【課題を解決するための手段】
【００１１】
上記課題を解決するため、この発明は、前壁、一対の側壁及び後壁を連設して周壁を形成し、底面を閉止する底壁及び包装状態で天面を閉止する蓋を設け、前壁に上端から前開部を形成すると共に、表面に広告を印刷した前掲板を前壁に連設し、陳列に際しては、天面を開口させてトレー状とし、前開部を切り開き、前掲板を前壁の前方に斜め上方へ向けて保持する表示機能付包装箱において、前記前掲板を、包装状態では、前壁の前開部の裏側に沿わせて後向きに収納しておき、陳列時に前方へ折り曲げるようにしたのである。
【００１２】
また、上記包装箱において、前掲板を前壁の前開部の上端に連設して、前掲板の先端側に内前板を連設し、包装状態では、前掲板及び内前板を後下方へ折り曲げておき、陳列に際しては、内前板を前壁の裏面に沿わせた状態で、前掲板を前開部と共に折り曲げるようにしたのである。
【００１３】
なお、前掲板を前壁の下端に連結片を介して連設し、包装状態では、連結片及び前掲板を後上方へ折り曲げておき、陳列に際しては、連結片を前壁の残存する下部の裏面に沿わせた状態で、その上端から前掲板を折り曲げるようにしてもよい。
【発明の効果】
【００１４】
この包装箱では、前壁の前開部を切り開いて、前掲板を前方へ折り曲げるだけで、簡単に陳列状態に変形することができるので、店頭での陳列作業が店員の負担にならず、広告表示が展開されないままに陳列される状況を回避することができる。
【発明を実施するための最良の形態】
【００１５】
この発明の第１実施形態を図１乃至図４に基づいて説明する。
【００１６】
図１に示すブランクにおいて、前壁１の両側には側壁２が連設され、一方の側壁２の外側には後壁３が、他方の側壁２の外側には継代片４がそれぞれ連設されている。前壁１、側壁２及び後壁３の下縁には底壁５が連設され、側壁２の上縁には蓋受片６が、後壁３の上縁には蓋７がそれぞれ連設されている。
【００１７】
前壁１の上部には前開部８が設けられ、前開部８の上端には、前掲板９、稜板１０及び内前板１１が順次連設されている。前開部８の両側には上端から切目線１２が設けられ、その下端を繋ぐ折目線１３の両側方には係合部１４が形成されている。稜板１０の両側には切込１５が形成され、前掲板９の先端角部には折目線１６が設けられている。
【００１８】
側壁２には、前壁１との稜線に沿った切目線１２の下部から後壁３及び継代片４側の上角部へかけて斜めに切目線１７が設けられ、蓋７の中間部には折目線１８が、先端部には差込片１９が、後壁３には差込穴２０がそれぞれ設けられている。
【００１９】
上記のようなブランクを組み立てて商品を包装するには、図２に示すように、前壁１、一対の側壁２及び後壁３を角筒状に折り曲げ、継代片４を後壁３に貼り付けて周壁を形成し、底壁５を一組ずつ貼り合わせ、これらを噛み合わせて底面を閉止する。
【００２０】
そして、前掲板９、稜板１０及び内前板１１を後下方へ折り曲げ、前掲板９が前開部８の裏側に沿って後向きになるようにする。その後、商品を箱内に収納し、蓋受片６を内側へ折り曲げ、蓋７を閉じ、差込片１９を前掲板９と蓋受片６の間に差し込んで封緘する。
【００２１】
一方、商品を陳列する際には、蓋７を開き、切目線１２，１７を切断し、図３に示すように、側壁２の上部を蓋受片６と共に除去して、天面が開口したトレー状とし、図４に示すように、内前板１１を前壁１の裏面に沿わせた状態で、折目線１３に沿った稜板１０を軸にして、前掲板９を前開部８と共に斜前下方へ折り曲げる。
【００２２】
このとき、前掲板９の角部が折目線１６に沿って屈曲しつつ、係合部１４の上方を乗り越え、切込１５が係合部１４に係合して、折目線１６に沿った前掲板９の折り曲げが復元し、前掲板９が前壁１の前方で斜め上方へ向いた状態で保持される。
【００２３】
そして、蓋７を折目線１８に沿って前方へ二つ折りにし、差込片１９を差込穴２０に差し込んで、蓋７が起立状態で保持されるようにすると、前掲板９及び蓋７の表面に印刷した広告が目立つので、効果的な陳列が可能となる。
【００２４】
次に、この発明の第２実施形態を図５乃至図８に基づいて説明する。
【００２５】
図５に示すブランクにおいて、前壁１の両側には側壁２が連設され、一方の側壁２の外側には後壁３が、他方の側壁２の外側には継代片４がそれぞれ連設されている。前壁１、側壁２及び後壁３の下縁には底壁５が連設され、側壁２の上縁には蓋受片６が、後壁３の上縁には蓋７がそれぞれ連設されている。
【００２６】
前壁１の下縁に繋がる底壁５は小さくなっており、前壁１の下縁一側部に帯状の連結片２１を介して前掲板９が連設されている。
【００２７】
前壁１の中間下部には、横方向の切目線２３が設けられ、その上方が前開部８とされている。前開部８の中央部には、上端から縦方向の切目線２２が切目線２３に交わる位置まで設けられ、側壁２には、切目線２３から後壁３及び継代片４側の上角部へかけて斜めに切目線１７が設けられている。
【００２８】
切目線２３の中央部には、上向きの戻止片２４が設けられ、前掲板９には、戻止片２４の切込２５に対応する係止片２６が設けられている。蓋７の中間部には折目線１８が、先端部には差込片１９が、後壁３には差込穴２０がそれぞれ設けられている。
【００２９】
上記のようなブランクを組み立てて商品を包装するには、図６に示すように、前壁１、一対の側壁２及び後壁３を角筒状に折り曲げ、継代片４を後壁３に貼り付けて周壁を形成し、底壁５を一組ずつ貼り合わせ、これらを噛み合わせて底面を閉止する。
【００３０】
このとき、連結片２１及び前掲板９を後上方へ折り曲げ、前掲板９が前開部８の裏側に沿って後向きになるようにする。その後、商品を箱内に収納し、蓋受片６を内側へ折り曲げ、蓋７を閉じ、差込片１９を前掲板９と蓋受片６の間に差し込んで封緘する。
【００３１】
一方、商品を陳列する際には、蓋７を開き、切目線２２を切断して、前開部８を二分割し、各前開部８から切目線２３，１７を切断して、図７に示すように、前開部８及び側壁２の上部を蓋受片６と共に除去することにより、天面が開口したトレー状とし、図８に示すように、連結片２１の上端から前掲板９を斜前下方へ折り曲げる。
【００３２】
このとき、前掲板９が撓みつつ、戻止片２４を前方へ乗り越えて、前掲板９の後方への戻りが防止され、切込２５に係止片２６を係合させると、前掲板９が前壁１の前方で斜め上方へ向いた状態で保持される。
【００３３】
そして、蓋７を折目線１８に沿って前方へ二つ折りにし、差込片１９を差込穴２０に差し込んで、蓋７が起立状態で保持されるようにすると、前掲板９及び蓋７の表面に印刷した広告が目立ち、前掲板９の周囲には切目線の繋ぎ部分を切断した跡もないので、美しい外観を呈する効果的な陳列が可能となる。
【図面の簡単な説明】
【００３４】
【図１】この発明の第１実施形態のブランクを示す図
【図２】同上の包装状態を示す斜視図
【図３】同上の陳列状態への変形過程を示す斜視図
【図４】同上の陳列状態を示す斜視図
【図５】この発明の第２実施形態のブランクを示す図
【図６】同上の包装状態を示す斜視図
【図７】同上の陳列状態への変形過程を示す斜視図
【図８】同上の陳列状態を示す斜視図
【図９】従来の表示機能付包装箱の包装状態を示す斜視図
【図１０】同上の陳列状態を示す斜視図
【符号の説明】
【００３５】
１  前壁
２  側壁
３  後壁
４  継代片
５  底壁
６  蓋受片
７  蓋
８  前開部
９  前掲板
１０  稜板
１１  内前板
１２  切目線
１３  折目線
１４  係合部
１５  切込
１６  折目線
１７  切目線
１８  折目線
１９  差込片
２０  差込穴
２１  連結片
２２  切目線
２３  切目線
２４  戻止片
２５  切込
２６  係止片
【図１】
2006008150.tif 000003
【図２】
2006008150.tif 000004
【図３】
2006008150.tif 000005
【図４】
2006008150.tif 000006
【図５】
2006008150.tif 000007
【図６】
2006008150.tif 000008
【図７】
2006008150.tif 000009
【図８】
2006008150.tif 000010
【図９】
2006008150.tif 000011
【図１０】
2006008150.tif 000012